(57)【要約】      （修正有） 【課題】抜き差し自在とした内外二重管構造であって、内外管の相対的回動操作で内外管の固定状態並びに伸縮可能状態とする伸縮柄において、伸縮構造の組み込みを容易にし、係止体の固定機能の低下を防止する。【解決手段】係止体５２の偏心内周面５２３における分割箇所（分割部５２１）を嵌合凹部５２４とし、且つ径方向を厚く形成して、カム体が前記分割箇所凹部（嵌合凹部５２４）に位置した際に、カム体で前記分割箇所を押し広げて固定状態となるように設け、係止体内周面適宜位置に、係止体の拡径を容易にする深溝部５２５を軸方向に設けてなる。【選択図】図３
0003129574.tif 000002
【実用新案登録請求の範囲】
【請求項１】
抜き差し自在とした内外二重管構造であって、外側管に内包される内側管の管端近傍に、板状カム体を軸方向に連設すると共に、外周面が外側管の内周面と対応し且つ内周面がカム体外周突端と当接する偏心面とした係止体を、前記カム体に外装して、内外管の相対的回動操作で内外管の固定状態並びに伸縮可能状態とする伸縮柄において、係止体の偏心内周面における分割箇所を凹部とし且つ径方向を厚く形成して、カム体が前記分割箇所凹部に位置した際に、カム体で前記分割箇所を押し広げて固定状態となるように設け、係止体内周面適宜位置に、係止体の拡径を容易にする深溝部を軸方向に設けてなることを特徴とする刈込鋏などの伸縮柄。
【請求項２】
深溝部を分割位置の対面に形成してなる請求項１記載の刈込鋏などの伸縮柄。
【請求項３】
係止体の外周面軸方向に、細かな凹凸部を形成してなる請求項１又は２記載の刈込鋏などの伸縮柄。
【考案の詳細な説明】
【技術分野】
【０００１】
本考案は刈込鋏などに適用される伸縮柄に関するものである。
【背景技術】
【０００２】
刈込鋏は、使用時に伸長し収納時に短縮する伸縮柄が採用されており、この伸縮柄は、内外二重管構造として、伸長時並びに短縮時に内外二重管が固定されるようにしている。
【０００３】
固定構造としては従前より種々提案されているが、外側管を１回転以下の操作で連結固定並びに解除の操作を行える構造として、内側管に設けたカム体で筒状係止体を外周方向に押し出して、外部管の内周面を押圧固定する構成が知られている。
【０００４】
特に筒状係止体として、筒状体に一つの切り込みを設けて筒状係止体の拡幅縮径をなす構成（特許文献１）、及び筒状体を縦に二分割して、分割体を拡幅縮径させてなる構成（特許文献２，３）が提案されている。
【０００５】
【特許文献１】実開昭５６―７１５１１号公報。
【特許文献２】実開平６―６８４１８号公報。
【特許文献３】登録実用新案３０９９７７１号公報。
【考案の開示】
【考案が解決しようとする課題】
【０００６】
前記の伸縮柄は、内側管に設けたカム体に筒状の係止体を被覆装着し、外側管に挿入して形成される。前記係止体が一体型の場合には、通常はカム体の先端箇所に係止体の抜け止め部分が存在するために、係止体を大きく拡げてカム体に外装しなければならなく、この点において製造上の煩雑さがある。
【０００７】
また係止体が二分割型の場合には、カム体への外装は容易であるが、外側管への差込に際して、係止体がカム体から分離しないようにしなければならなく、この点において製造の面倒さがある。更に何回か使用していると分割係止体の相対的位置ずれが生じやすく、固定機能の低下が生ずる虞がある。
【０００８】
また特許文献１，２記載の固定構造は、カム体の径大部分で係止部材の厚味部分に位置して係止体を外周方向に押し出し、固定状態を実現しているものであり、カム体の作用範囲（係止体との当接範囲）が、分割境界を含まないものである。このため固定状態において、カム体との当接位置の外周部分を中心として、係止体が外側管を押圧して固定されるものである。即ち理論的には、係止体の長さ方向における線押圧ということができる。
【０００９】
前記問題点を解決する手段として、特許文献３に、係止体の偏心内周面における内外管固定状態とする際のカム体当接位置が、分割箇所で当該分割箇所に凹部を形成した構造が提案されている。しかし特許文献３記載の構造においても、二分割係止体を採用した際の組立上の問題及び係止体の相対的位置ずれによる固定機能の低下の問題は解消されていない。
【００１０】
そこで本考案は、前記特許文献３記載の構造を改良した新規な固定構造を備えた伸縮柄を提案したものである。
【課題を解決するための手段】
【００１１】
本考案に係る刈込鋏などの伸縮柄は、抜き差し自在とした内外二重管構造であって、外側管に内包される内側管の管端近傍に、板状カム体を軸方向に連設すると共に、外周面が外側管の内周面と対応し且つ内周面がカム体外周突端と当接する偏心面とした係止体を、前記カム体に外装して、内外管の相対的回動操作で内外管の固定状態並びに伸縮可能状態とする伸縮柄において、係止体の偏心内周面における分割箇所を嵌合凹部とし、且つ径方向を厚く形成して、カム体が前記分割箇所凹部に位置した際に、カム体で前記分割箇所を押し広げて固定状態となるように設け、係止体内周面適宜位置に、係止体の拡径を容易にする深溝部を軸方向に設けてなることを特徴とするものである。
【００１２】
而して製造に際して深溝部が存在するので、係止体を大きく拡径することができ、容易にカム体に装着できる。係止体を外装したカム体を外側管に挿入して伸縮固定自在とするもので、柄の伸縮可能状態（フリー状態）から固定状態に移行させるために、内外側管を相対的回動操作（捻り操作）すると、カム体と係止体の相対位置が変化してカム体の外周面部分が分割箇所凹部に嵌合すると、係止体はカム体によって分割箇所で外周方向に押圧され、更に分割箇所を押し広げるように作用して、係止体全体が外側管を押圧することになって固定状態となる。
【００１３】
また本考案（請求項２）は、前記深溝部を分割位置の対面に形成してなるもので、カム体の突出構成部を１８０度の位置に形成した場合に、前記深溝部にカム体が位置することになり、固定状態の安定性が増す。
【００１４】
更に本考案（請求項３）は、係止体の外周面軸方向に、細かな凹凸部を形成してなるもので、係止体と外側管内周面との滑り摩擦抵抗が大きくなり、カム体と係止体の供回りが防止される。
【考案の効果】
【００１５】
以上の通り分割箇所が一箇所である係止体において、固定箇所（偏心内周面の最小径部分：固定状態時のカム体当接位置）が、前記分割箇所に設けた嵌合凹部を設けると共に、係止体内周面適宜位置に、係止体の拡径を容易にする深溝部を軸方向に設けてなるもので、係止体の拡径による安定した固定状態になり、またその製造に際してカム体への係止体の外装が容易に行なうことができた。
【考案を実施するための最良の形態】
【００１６】
次に本考案の実施形態について説明する。実施形態は刈込鋏について示した。刈込鋏の伸縮柄は、抜き差し自在とした内側管１と外側管２からなる二重管構造で、内側管１の先端には刃部３を連結し、外側管２には握り柄部４を設けてなり、内外側管１，２には、伸縮可能な状態と固定状態とを選択操作できる固定機構５が内装されている。
【００１７】
固定機構５は、カム体５１と係止体５２で構成される。カム体５１は、外周面（径大部分）を円滑面とした扁平板状で、内側管１の管端に軸方向に連設してなると共に、端部側に内側管１と対応する鍔部５３を設けてなる。
【００１８】
係止体５２は、筒状体において、一部に分割部５２１を設けたＣ字形状で、外周面に滑り止めの凹凸部５２２を軸方向に設けたものである。また内周面５２３は、所定の最大径部分から最小径部分に至る偏心形状であり、最小径長は、前記分割部５２１の箇所としたものである。
【００１９】
前記分割部５２１においては、分割部５２１を跨ぐように嵌合凹部５２４を形成し、分割部５２１と１８０度の対向位置内周面に、係止体５２を大きく拡径可能とする深溝部５２５を形成する。
【００２０】
また内周面５２３の最大径部分は、前記分割部５２１と深溝部５２５の中間点とし、カム体５１が当該位置においては、係止体５２を外方への押圧作用が生じない形状とし、更にカム体５１の回動方向を制止する内方突部５２６を設けてなる。
【００２１】
而して深溝部５２５が存在するので係止体５２を大きく拡げることができ、係止体５２のカム体５１への外装が容易に行なわれ、前記外装状態で、外側管２に挿入して伸縮柄が構成されるものである。
【００２２】
伸縮作用は、外側管２を回動操作して、カム体５１と係止体５２の相対的回動を行い、カム体５１の外周面が係止体５２の内周面５２３の最大径箇所に位置している場合（図３イ）には、係止体５２の外周面が外側管２の内周面を強圧していない状態であるから、内側管１は外側管２に対して抜き差し自在となり、柄の全長を所望の長さに調整できる。
【００２３】
そして柄を所定の長さとした状態で外側管２を回動操作すると、カム体５１と係止体５２とは相対的な位置が変更され、カム体５１の外周面が分割部５２１に設けた嵌合凹部５２４に至ると、前記嵌合凹部５２４に嵌合すると共に、分割部５２１を押し広げることになる。
【００２４】
従って前記嵌合状態では係止体５２の内周面最小径部分にカム体５１が当接することになって、分割部５２１を押し広げるので、係止体５２の外周面全体が外側管２の内周面を押圧することになり、内外管１，２は固定（ロック）状態となる。
【００２５】
このように外側管２の回動で固定解除の操作がなされ、解除状態で柄長を調整し、固定状態で調整した柄長を固定して使用に供したり、収納したりするものである。
【図面の簡単な説明】
【００２６】
【図１】本考案の実施形態の全体図。
【図２】同固定機構の分解斜視図。
【図３】同カム体と係止体との関係説明図で、（イ）はフリー状態、（ロ）は固定状態の断面図。
【符号の説明】
【００２７】
１        内側管
２        外側管
３        刃部
４        握り柄部
５        固定機構
５１      カム体
５２      係止体
５２１    分割部
５２２    凹凸部
５２３    内周面
５２４    嵌合凹部
５２５    深溝部
５２６    内方突部
５３      鍔部
【図１】
0003129574.tif 000003
【図２】
0003129574.tif 000004
【図３】
0003129574.tif 000005